(57)【要約】【課題】宅配業者等の訪問者と居住者とが直接対面することを確実に防ぎながら、物品等の受け渡しを確実に行うことができ、さらに防犯性にも優れる宅配ボックスおよび建物を提供する。【解決手段】屋外に面する第１壁１１と、この第１壁１１と玄関出入口２ａが形成される壁２の双方に直交して配置されるとともに玄関１に面する第２壁１２と、第３壁１３と第４壁１４とを備えており、第１壁１１には、入庫口１１ａが形成されるとともに屋外扉１１ｂが設けられ、さらにベンチ１１ｃが設けられており、第２壁１２には、出庫口１２ａが形成されるとともに屋内扉１２ｂが設けられ、さらにベンチ１２ｃが設けられており、出庫口１２ａは、入庫口１１ａから所定の間隔をあけて配置されるようにして第２壁１２に形成されている宅配ボックス１０。また、この宅配ボックス１０が玄関出入口２ａの近傍に配置された建物。【選択図】図１
2010196295.tif 000002
【特許請求の範囲】
【請求項１】
玄関出入口の近傍に配置される宅配ボックスにおいて、
前記玄関出入口が形成される壁に平行または該壁の延長線上に配置されるとともに屋外に面する第１壁と、この第１壁と前記玄関出入口が形成される壁の双方に直交して配置されるとともに玄関に面する第２壁と、この第２壁に対向するとともに前記第１壁に直交して配置される第３壁と、これら第２壁および第３壁に直交するとともに前記第１壁に対向して配置される第４壁とを備えており、
前記第１壁には、屋外に向かって開口する入庫口が形成されるとともに、この入庫口を開閉する屋外扉が設けられ、さらに該第１壁の前方に、上面が前記入庫口の下縁部と略等しい高さに設定されるベンチが設けられており、
前記第２壁には、玄関に向かって開口する出庫口が形成されるとともに、この出庫口を開閉する屋内扉が設けられ、さらに該第２壁の前方に、上面が前記出庫口の下縁部と略等しい高さに設定されるベンチが設けられており、
前記出庫口は、前記入庫口から所定の間隔をあけて配置されるようにして前記第２壁に形成されていることを特徴とする宅配ボックス。
【請求項２】
請求項１に記載の宅配ボックスにおいて、
前記第１〜第４壁によって囲まれる内部空間に、前記第１〜第４壁のうちのいずれかに固定される固定式棚板が設けられていることを特徴とする宅配ボックス。
【請求項３】
請求項２に記載の宅配ボックスにおいて、
前記屋外扉は、前記固定式棚板によって区切られた内部空間毎に、上下方向に複数に分割されており、これら複数に分割された屋外扉は独立して前記入庫口を開閉可能となっていることを特徴とする宅配ボックス。
【請求項４】
請求項１〜３のいずれか一項に記載の宅配ボックスにおいて、
前記第１〜第４壁によって囲まれる内部空間に、前記第１壁と第４壁との並設方向に沿ってスライド自在に設定されたスライド式棚板が設けられていることを特徴とする宅配ボックス。
【請求項５】
請求項１〜４のいずれか一項に記載の宅配ボックスを、玄関出入口の近傍に配置してなる建物であって、
前記玄関の玄関土間よりも一段高い位置に第１床が配置されるとともに、この第１床の上方に第２床が設けられており、この第２床の上方側と下方側とがそれぞれ部屋とされており、
前記宅配ボックスは、前記第３壁が前記第２床の下方側の部屋に面するようにして、前記第２床の下方に配置されており、
前記第１〜第４壁によって、前記第２床を支持していることを特徴とする建物。
【請求項６】
請求項５に記載の建物において、
前記第２床の下方側の部屋は、０．９ｍ〜１．４ｍの天井高に設定された低天井収納室であることを特徴とする建物。
【請求項７】
請求項５または６に記載の建物において、
前記第２床の下方に、前記宅配ボックスに隣接するとともに玄関に向かって開口する開口部を有する玄関収納部が設けられていることを特徴とする建物。
【発明の詳細な説明】
【技術分野】
【０００１】
本発明は、玄関出入口の近傍に配置される宅配ボックスと、この宅配ボックスを、玄関出入口の近傍に配置してなる建物に関する。
【背景技術】
【０００２】
近年、例えば女性の一人暮らしなどに対応するために、住宅等の建物における防犯性の向上が望まれていた。そこで、宅配業者と居住者とが直接対面せずに荷物の受け渡しを可能にする宅配ボックスが種々提供されている（例えば、特許文献１参照）。
このような宅配ボックスは、荷物投入用屋外扉を有する屋外荷物投入口部と、荷物取出用室内扉を有する室内荷物取出口部とを備えるとともに、建物の外壁部側から宅配荷物を投入可能な荷物収納部が設けられ、外壁部の屋外面に捺印部を有する自動捺印手段が設けられている。また、荷物収納部には、室内へ荷物を送り出す荷物送り出し装置と荷物の有無を検知するセンサーが設けられている。これによって、留守中と在宅中のどちらでも、荷物を自動的に受け取ることができるとともに、在宅中に、玄関を開けることなく室内にて宅配荷物を受け取ることが可能となっている。
【先行技術文献】
【特許文献】
【０００３】
【特許文献１】特開平９−１５６６９４号公報
【発明の概要】
【発明が解決しようとする課題】
【０００４】
しかしながら、宅配業者と居住者とが直接対面しなければならない場合がある。例えば代金引換サービスを利用する際は、荷物および代金の受け渡しを同時に行わなければならない。したがって、居住者は、玄関ドアを開いて荷物を受け取ってから、代金を渡したり、捺印しなければならない。
さらに、訪問者が宅配業者だけに限られるものではなく、例えば、店屋物の配達や新聞代の集金等、様々な訪問者があり、宅配業者と同様に、これら訪問者と居住者とが直接対面することを確実に防ぐことが困難であった。
【０００５】
本発明の課題は、宅配業者等の訪問者と居住者とが直接対面することを確実に防ぎながら、物品等の受け渡しを確実に行うことができ、さらに防犯性にも優れる宅配ボックスおよび建物を提供することを目的とする。
【課題を解決するための手段】
【０００６】
請求項１に記載の発明は、例えば図１〜図７に示すように、玄関出入口２ａの近傍に配置される宅配ボックス１０において、
前記玄関出入口２ａが形成される壁２に平行または該壁２の延長線上に配置されるとともに屋外に面する第１壁１１と、この第１壁１１と前記玄関出入口２ａが形成される壁２の双方に直交して配置されるとともに玄関１に面する第２壁１２と、この第２壁１２に対向するとともに前記第１壁１１に直交して配置される第３壁１３と、これら第２壁１２および第３壁１３に直交するとともに前記第１壁１１に対向して配置される第４壁１４とを備えており、
前記第１壁１１には、屋外に向かって開口する入庫口１１ａが形成されるとともに、この入庫口１１ａを開閉する屋外扉１１ｂが設けられ、さらに該第１壁１１の前方に、上面が前記入庫口１１ａの下縁部と略等しい高さに設定されるベンチ１１ｃが設けられており、
前記第２壁１２には、玄関１に向かって開口する出庫口１２ａが形成されるとともに、この出庫口１２ａを開閉する屋内扉１２ｂが設けられ、さらに該第２壁１２の前方に、上面が前記出庫口１２ａの下縁部と略等しい高さに設定されるベンチ１２ｃが設けられており、
前記出庫口１２ａは、前記入庫口１１ａから所定の間隔をあけて配置されるようにして前記第２壁１２に形成されていることを特徴とする。
【０００７】
請求項１に記載の発明によれば、前記玄関出入口２ａが形成される壁２に平行または該壁２の延長線上に配置されるとともに屋外に面する第１壁１１と、この第１壁１１と前記玄関出入口２ａが形成される壁２の双方に直交して配置されるとともに玄関１に面する第２壁１２と、この第２壁１２に対向するとともに前記第１壁１１に直交して配置される第３壁１３と、これら第２壁１２および第３壁１３に直交するとともに前記第１壁１１に対向して配置される第４壁１４とを備えているので、宅配ボックス１０を前記玄関出入口２ａの近傍に確実に配置することができる。また、前記第１壁１１には入庫口１１ａが形成され、前記第２壁１２には出庫口１２ａが形成されているので、前記第１〜第４壁１１，１２，１３，１４によって囲まれた内部空間を物品の受け渡しスペースとして利用することができる。
さらに、前記第１壁１１には前記入庫口１１ａを開閉する屋外扉１１ｂが設けられているので、この屋外扉１１ｂによって前記内部空間と屋外とを隔絶することができる。また、前記第２壁１２には前記出庫口１２ａを開閉する屋内扉１２ｂが設けられているので、この屋内扉１２ｂによって前記内部空間と玄関１とを隔絶することができる。また、前記入庫口１１ａは、前記出庫口１２ａに直交して配置されることになるので、前記入庫口１１ａから入れられた物品を、この物品の入庫方向と直交する方向から受け取ることができる。しかも、前記出庫口１２ａは、前記入庫口１１ａから所定の間隔をあけて配置されるようにして前記第２壁１２に形成されているので、例えば前記入庫口１１ａおよび出庫口１２ａの双方が開放されていたとしても、前記入庫口１１ａ側から玄関１内を視認しにくくなる。また、前記入庫口１１ａから手や道具を入れたとしても、前記玄関出入口２ａまで届きにくく、防犯性が高い。
これによって、宅配業者等の訪問者と居住者とが直接対面することを確実に防ぎながら、物品等の受け渡しを確実に行うことができ、さらに防犯性にも優れる。
さらに、前記第１壁１１の前方に前記ベンチ１１ｃが設けられており、前記第２壁１２の前方に前記ベンチ１２ｃが設けられているので、これらベンチ１１ｃ，１２ｃを荷物等の物品の受け渡し時に一時置き場として利用したり、玄関１で靴を脱いだり履いたりする際に腰掛けることができ、利便性に優れる。
【０００８】
請求項２に記載の発明は、例えば図１〜図４に示すように、請求項１に記載の宅配ボックス１０において、
前記第１〜第４壁１１，１２，１３，１４によって囲まれる内部空間に、前記第１〜第４壁１１，１２，１３，１４のうちのいずれかの壁面に固定される固定式棚板１５が設けられていることを特徴とする。
【０００９】
請求項２に記載の発明によれば、前記第１〜第４壁１１，１２，１３，１４によって囲まれる内部空間に、前記第１〜第４壁１１，１２，１３，１４のうちのいずれかに固定される固定式棚板１５が設けられているので、この固定式棚板１５上に比較的重い物品を載せることができる。
また、例えば、この固定式棚板１５の固定位置を、前記入庫口１１ａ付近の所定の高さとすることで、この固定式棚板１５によって前記内部空間を区切ることができるとともに、前記入庫口１１ａを上下に区切ることができる。
【００１０】
請求項３に記載の発明は、例えば図２および図５に示すように、請求項２に記載の宅配ボックス１０において、
前記屋外扉１１ｂは、前記固定式棚板１５によって区切られた内部空間毎に、上下方向に複数に分割されており、これら複数に分割された屋外扉１１ｂ，１１ｂは独立して前記入庫口１１ａを開閉可能となっていることを特徴とする。
【００１１】
請求項３に記載の発明によれば、前記屋外扉１１ｂは、前記固定式棚板１５によって区切られた内部空間毎に、上下方向に複数に分割されており、これら複数に分割された屋外扉１１ｂ，１１ｂは独立して前記入庫口１１ａを開閉可能となっているので、前記入庫口１１ａから物品を入庫する際に、必要な方の屋外扉１１ｂを開放させるだけで済む。これによって、必要以上に前記入庫口１１ａを開放させる必要がなくなり、宅配業者等の訪問者から玄関１内を見られにくくなる。
【００１２】
請求項４に記載の発明は、例えば図２〜図４に示すように、請求項１〜３のいずれか一項に記載の宅配ボックス１０において、
前記第１〜第４壁１１，１２，１３，１４によって囲まれる内部空間に、前記第１壁１１と第４壁１４との並設方向に沿ってスライド自在に設定されたスライド式棚板１６，１７が設けられていることを特徴とする。
【００１３】
請求項４に記載の発明によれば、前記第１〜第４壁１１，１２，１３，１４によって囲まれる内部空間に、前記第１壁１１と第４壁１４との並設方向に沿ってスライド自在に設定されたスライド式棚板１６，１７が設けられているので、このスライド式棚板１６，１７上に物品を載せてスライドさせることによって、物品を前記第１壁１１と第４壁１４との並設方向に沿って移動させることができる。これによって、物品の受け渡しがスムーズになる。
【００１４】
請求項５に記載の発明は、例えば図１〜図７に示すように、請求項１〜４のいずれか一項に記載の宅配ボックス１０を、玄関出入口２ａの近傍に配置してなる建物であって、
前記玄関１の玄関土間１ａよりも一段高い位置に第１床５が配置されるとともに、この第１床５の上方に第２床６が設けられており、この第２床６の上方側と下方側とがそれぞれ部屋８，９とされており、
前記宅配ボックス１０は、前記第３壁１３が前記第２床６の下方側の部屋９に面するようにして、前記第２床６の下方に配置されており、
前記第１〜第４壁１１，１２，１３，１４によって、前記第２床６を支持していることを特徴とする。
【００１５】
請求項５に記載の発明によれば、前記宅配ボックス１０を、前記玄関出入口２ａの近傍に配置するので、請求項１〜４と同様の効果を得ることができる。また、前記第３壁１３が前記第２床６の下方側の部屋９に面するようにして、前記第２床６の下方に配置されており、前記第１〜第４壁１１，１２，１３，１４によって、前記第２床６を支持しているので、前記第１〜第４壁１１，１２，１３，１４を構造体として機能させることができる。これによって、前記宅配ボックス１０全体を建物と一体的に設けることができるので、この宅配ボックス１０の設置状態を強固なものとすることができる。
【００１６】
請求項６に記載の発明は、例えば図４に示すように、請求項５に記載の建物において、
前記第２床６の下方側の部屋９は、０．９ｍ〜１．４ｍの天井高に設定された低天井収納室であることを特徴とする。
【００１７】
請求項６に記載の発明によれば、前記第２床６の下方側の部屋９は、０．９ｍ〜１．４ｍの天井高に設定された低天井収納室であることから、建物内に収納スペースを確保することができる。
さらに、この低天井収納室９の天井高が０．９ｍ〜１．４ｍに設定されることによって、人が前記低天井収納室に入って、何とか作業ができる最低限の高さを確保することができ、かつ、このように天井高を必要最小限に抑えることで、建物の高さが高くなることによって隣接する建物に及ぼす日照減少等の影響を極力少なくすることができる。
【００１８】
請求項７に記載の発明は、例えば図１に示すように、請求項５または６に記載の建物において、
前記第２床６の下方に、前記宅配ボックス１０に隣接するとともに玄関１に向かって開口する開口部２０ａを有する玄関収納部２０が設けられていることを特徴とする。
【００１９】
請求項７に記載の発明によれば、前記第２床６の下方に、前記宅配ボックス１０に隣接するとともに玄関１に向かって開口する開口部２０ａを有する玄関収納部２０が設けられているので、前記宅配ボックス１０を前記玄関１に配置しながら、この玄関１内に収納スペースを確保することができる。
【発明の効果】
【００２０】
本発明によれば、玄関出入口が形成される壁に平行または該壁の延長線上に配置されるとともに屋外に面する第１壁と、この第１壁と玄関出入口が形成される壁の双方に直交して配置されるとともに玄関に面する第２壁と、この第２壁に対向するとともに第１壁に直交して配置される第３壁と、これら第２壁および第３壁に直交するとともに第１壁に対向して配置される第４壁とを備えているので、宅配ボックスを玄関出入口の近傍に確実に配置することができる。また、第１壁には入庫口が形成され、第２壁には出庫口が形成されているので、第１〜第４壁によって囲まれた内部空間を物品の受け渡しスペースとして利用することができる。
さらに、第１壁には入庫口を開閉する屋外扉が設けられているので、この屋外扉によって内部空間と屋外とを隔絶することができる。また、第２壁には出庫口を開閉する屋内扉が設けられているので、この屋内扉によって内部空間と玄関とを隔絶することができる。また、入庫口は、出庫口に直交して配置されることになるので、入庫口から入れられた物品を、この物品の入庫方向と直交する方向から受け取ることができる。しかも、出庫口は、入庫口から所定の間隔をあけて配置されるようにして第２壁に形成されているので、例えば入庫口および出庫口の双方が開放されていたとしても、入庫口側から玄関内を視認しにくくなる。また、入庫口から手や道具を入れたとしても、玄関出入口まで届きにくく、防犯性が高い。
これによって、宅配業者等の訪問者と居住者とが直接対面することを確実に防ぎながら、物品等の受け渡しを確実に行うことができ、さらに防犯性にも優れる。
さらに、第１壁の前方にベンチが設けられており、第２壁の前方にベンチが設けられているので、これらベンチを荷物等の物品の受け渡し時に一時置き場として利用したり、玄関で靴を脱いだり履いたりする際に腰掛けることができ、利便性に優れる。
【図面の簡単な説明】
【００２１】
【図１】本発明の宅配ボックスが配置された建物の玄関周囲の一例を示す平面図である。
【図２】スライド式棚板のスライドの一形態を示す図１のＡ−Ａ線断面図である。
【図３】スライド式棚板のスライドの一形態を示す図１のＡ−Ａ線断面図である。
【図４】宅配ボックスが配置された建物の玄関周囲を示す図１のＢ−Ｂ線断面図である。
【図５】屋外側から見た宅配ボックスを示す正面図である。
【図６】玄関側から見た宅配ボックスを示す側面図である。
【図７】本発明の宅配ボックスが配置された建物の玄関周囲の一例を示す平面図である。
【発明を実施するための形態】
【００２２】
以下、図面を参照して本発明の実施の形態について説明する。
図１は本発明に係る宅配ボックスが配置された建物の玄関周囲の一例を示す平面図である。本実施の形態の建物は、複数階建てに構成されており、１階の床である第１床５の上方に、中間階の床である第２床６と、２階の床である第３床７とが設けられており、少なくとも１階と２階と、これら１、２階間に配置される中間階とを備えている。
また、前記第２床６の上方側が中間部屋８とされ、下方側が低天井収納室９とされている。また、この低天井収納室９は、０．９ｍ〜１．４ｍの天井高に設定されており、０．９ｍ〜１．４ｍの範囲で適宜変更可能である。
【００２３】
図１において符号１は、玄関を示す。この玄関１は、建物の１階に配置されており、玄関土間１ａと、この玄関土間１ａよりも一段高い位置に配置される玄関ホール１ｂとを備えている。この玄関ホール１ｂは、前記第１床５と一体的に設けられており、床面が連続する高さとなるように設定されている。なお、前記玄関土間１ａおよび玄関ホール１ｂの上方には、図４に示すように第３床７が設けられている。
【００２４】
また、この玄関１は、玄関出入口２ａが形成される壁２と、この壁２に直交して配置されるとともに前記玄関土間１ａおよび玄関ホール１ｂに面する壁３と、この壁３と対向して配置されるとともに前記玄関ホール１ｂに面する壁４とによって囲まれている。
また、前記壁２には、前記玄関出入口２ａを開閉するドア２ｂが設けられている。
【００２５】
また、図１において符号１０は、宅配ボックスを示す。この宅配ボックス１０は、前記玄関出入口２ａが形成される壁２に平行に配置されるとともに屋外に面する第１壁１１と、この第１壁１１と前記玄関出入口２ａが形成される壁２の双方に直交して配置されるとともに玄関１に面する第２壁１２と、この第２壁１２に対向するとともに前記第１壁１１に直交して配置される第３壁１３と、これら第２壁１２および第３壁１３に直交するとともに前記第１壁１１に対向して配置される第４壁１４とを備えている。
【００２６】
さらに、この宅配ボックス１０は、前記第３壁１３が前記第２床６の下方側の部屋９に面するようにして、前記第２床６の下方に配置されており、前記第１〜第４壁１１，１２，１３，１４によって、前記第２床６を支持することによって、前記第１〜第４壁１１，１２，１３，１４を構造体として機能させることができるになっている。
【００２７】
また、前記第１壁１１には、図１〜図３，図５に示すように、屋外に向かって開口する入庫口１１ａが形成されるとともに、この入庫口１１ａを開閉する屋外扉１１ｂが設けられ、さらに該第１壁１１の前方に、上面が前記入庫口１１ａの下縁部と略等しい高さに設定されるベンチ１１ｃが設けられている。
なお、この第１壁１１は、前記低天井収納室９に面して立設される壁９ａと連続して一体的に設けられている。
【００２８】
また、前記第２壁１２には、図１，図４，図６に示すように、前記玄関１に向かって開口する出庫口１２ａが形成されるとともに、この出庫口１２ａを開閉する屋内扉１２ｂが設けられ、さらに該第２壁１２の前方に、上面が前記出庫口１２ａの下縁部と略等しい高さに設定されるベンチ１２ｃが設けられている。
なお、この第２壁１２は、前記壁４に連続して一体的に設けられている。
【００２９】
そして、前記出庫口１２ａは、前記入庫口１１ａから所定の間隔をあけて配置されるようにして前記第２壁１２に形成されている。
すなわち、前記第２壁１２は、図１に示すように、この第２壁１２の前記第１壁１１に接する部分から前記出庫口１２ａの側縁部までの部分が、前記入庫口１１ａと出庫口１２ａとの間隔を保持するための壁部１２ｄとなるように形成されている。したがって、この壁部１２ｄの、前記第１壁１１に接する部分から前記出庫口１２ａの側縁部までの長さによって、前記入庫口１１ａと出庫口１２ａとの離間距離が設定されることとなる。
【００３０】
また、前記第１壁１１と第２壁１２とは互いに直交して配置されているため、前記入庫口１１ａは、前記出庫口１２ａに直交して配置されることになるので、前記入庫口１１ａから入れられた物品を、この物品の入庫方向と直交する方向から受け取ることができるようになっている。
【００３１】
前記屋外扉１１ｂは開き戸であり、前記屋内扉１２ｂは、後述する開口部２０ａと前記出庫口１２ａの双方を開閉できる引違い戸の形式となっている。また、前記屋外扉１１ｂおよび屋内扉１２ｂのうち、少なくとも前記屋外扉１１ｂは施錠可能となっている。なお、本実施の形態においては、図示はしないが、前記屋外扉１１ｂおよび屋内扉１２ｂの双方が施錠可能に設定されているものとする。
この際、前記屋外扉１１ｂの解錠操作は、前記玄関１側からできるようになっているものとする。また、前記屋外扉１１ｂの開閉動作も前記玄関１側から行えるように設定されている。
【００３２】
なお、前記ベンチ１１ｃ，１２ｃは、図１〜図６に示すように、座板と、この座板を支持する脚部とからなるものであり、本実施の形態においては、前記第１壁１１および第２壁１２に対して固定された状態となっている。
【００３３】
前記ベンチ１１ｃは、図１に示すように、屋外に設けられており、前記第１壁１１と第２壁１２の壁部１２ｄとに沿うようにして平面視略Ｌ字状に形成されている。
また、前記ベンチ１２ｃは、前記第２壁１２の前方に設けられるだけでなく、図１〜図４に示すように、宅配ボックス１０の底面の一部を形成している。
【００３４】
なお、前記壁部１２ｄと前記第３壁１３との間に位置する宅配ボックス１０の底面部分は、図２および図３に示すように、前記ベンチ１２ｃと連続する床部１８が設けられており、この床部１８と前記ベンチ１２ｃとによって前記宅配ボックス１０の底面を構成している。また、前記床部１８は、支持部１８ａによって支持されている。
【００３５】
なお、本実施の形態において、前記ベンチ１１ｃ，１２ｃは、前記前記第１壁１１および第２壁１２に対して固定されているものとしたが、これに限られるものではなく、前記第１壁１１および第２壁１２から離して利用できるような構成としてもよいものとする。
【００３６】
また、前記第１〜第４壁１１，１２，１３，１４によって囲まれる宅配ボックス１０の内部空間に、図１〜図４に示すように、前記第１〜第４壁１１，１２，１３，１４のうちのいずれかの壁面に固定される固定式棚板１５が設けられている。
本実施の形態の固定式棚板１５は、前記第２壁１２および第３壁１３に固定されているものとする。
【００３７】
なお、前記屋外扉１１ｂは、図２および図３，図５に示すように、前記固定式棚板１５によって区切られた内部空間毎に、上下方向に複数に分割されており、これら複数に分割された屋外扉１１ｂ，１１ｂは独立して前記入庫口１１ａを開閉可能となっている。
また、前記屋外扉１１ｂは、図３に示すように、前記第１壁１１の表面に貼りつけられる外壁材１１ｄと面一となるように設けられている。
また、この屋外扉１１ｂには、新聞や郵便等の投入口を形成するようにしてもよい。
【００３８】
さらに、前記第１〜第４壁１１，１２，１３，１４によって囲まれる宅配ボックス１０の内部空間に、図１〜図４に示すように、前記第１壁１１と第４壁１４との並設方向に沿ってスライド自在に設定されたスライド式棚板１６，１７が設けられている。
なお、これらスライド式棚板１６，１７は、図示しないレール部材等によって、前記第１壁１１と第４壁１４との並設方向に沿ってスライド自在に設定されている。このレール部材は、例えば前記第２壁１２および第３壁１３に固定されている。
【００３９】
また、これらスライド式棚板１６，１７のうち、少なくとも一方は、図２に示すように、前記入庫口１１ａから屋外へと突出するようにスライドできるように設定されていることが好ましい。本実施の形態ではスライド式棚板１７が、屋外へと突出するようにスライド可能となっている。
また、前記スライド式棚板１６は、図２および図３に示すように、前記第１壁１１側から第４壁１４までの範囲でスライド可能となっている。
【００４０】
なお、前記宅配ボックス１０の内部空間または玄関出入口２ａが形成された壁２には、前記第１壁１１の前方に立つ人の姿を写す防犯カメラ（図示せず）を取り付けておくことが望ましい。また、前記玄関１内にモニター等（図示せず）を設けて、前記防犯カメラによって写された人の姿は、前記玄関１側から確認できるようにしておくことが望ましい。
また、前記入庫口１１ａの前方に立つ人と会話ができるようにマイクやスピーカー等のコミュニケーション装置を設けておくようにする。
【００４１】
さらに、前記第１壁１１に自動捺印装置を設けておいてもよい。これによって、宅配業者は荷物を前記宅配ボックス１０内に入庫するだけで済み、居住者も前記宅配ボックス１０から荷物を取り出すだけで済むので好ましい。
【００４２】
一方、前記第２床６の下方には、図１に示すように、前記宅配ボックス１０に隣接するとともに玄関１に向かって開口する開口部２０ａを有する玄関収納部２０が設けられている。例えば、靴箱や傘入れ等として利用される。
この玄関収納部２０は、図１および図６に示すように、前記第２壁１２と、前記第３壁と、前記第４壁と、前記壁４に直交して配置されるとともに前記低天井収納室９に面して立設される壁９ｂと連続して一体的に設けられる第５壁２１とによって囲まれて構成されている。
【００４３】
前記開口部２０ａは、前記第２壁１２の出庫口１２ａとともに前記第２壁１２に形成されたものであり、一つの大きな開口部を前記第４壁１４によって左右に区切ることによって前記出庫口１２ａと開口部２０ａとを構成している。また、前記開口部２０ａを開閉する扉は前記出庫口１２ａを開閉する屋内扉１２ｂが用いられている。
【００４４】
なお、前記宅配ボックス１０が配置された建物の玄関周囲の構成は、図１に示すものと異なるものであってもよい。
例えば、図７に示すように、前記第１壁１１が、前記玄関出入口２ａが形成される壁２の延長線上に配置されるものであってもよい。これによって、前記玄関出入口２ａと入庫口１１ａとが並んで配置される。また、これに伴って、前記ベンチ１１ｃの形状が平面視矩形状のものとなる。
また、前記第４壁１４を、前記壁４に直交するとともに前記壁９ｂと連続するように配置し、かつ該壁４，９ｂと一体形成する。すなわち、図１に示す第５壁２１の設置位置に第４壁１４を設置してもよいものとする。これによって、前記宅配ボックス１０の内部空間を大きくすることができる。
【００４５】
次に、本実施の形態の宅配ボックス１０を利用した荷物等の物品の受け渡し手順について説明する。
【００４６】
まず、訪問者である宅配業者がインターホン等によって来訪を告げ、居住者は、それを確認した後に、前記屋外扉１１ｂを解錠する。
続いて、宅配業者は、前記入庫口１１ａから前記固定式棚板１５またはスライド式棚板１６，１７の上に荷物を載せる。また、捺印やサインが必要となる場合は、この時に一緒に受け取り表を入れる。
【００４７】
なお、荷物が前記固定式棚板１５またはスライド式棚板１６，１７の上に載せられた後は、必要があれば、前記屋外扉１１ｂを一旦閉じてから、前記荷物を出庫口１２ｂから取り出す。
【００４８】
続いて、居住者は、受け取り表に捺印やサインをしてから、前記固定式棚板１５またはスライド式棚板１６，１７の上に受け取り表を置き、宅配業者は、この固定式棚板１５またはスライド式棚板１６，１７の上から受け取り表を取って宅配作業を完了させる。
なお、荷物の受け渡し時に代金引換が必要となる際は、受け取り表と同様に前記固定式棚板１５またはスライド式棚板１６，１７の上に代金を載せればよい。
【００４９】
また、前記屋外扉１１ｂの開閉動作を適宜制御することによって、不在時に荷物の受け取りができるように設定してもよいものとする。
【００５０】
本実施の形態によれば、前記玄関出入口２ａが形成される壁２に平行または該壁２の延長線上に配置されるとともに屋外に面する第１壁１１と、この第１壁１１と前記玄関出入口２ａが形成される壁２の双方に直交して配置されるとともに玄関１に面する第２壁１２と、この第２壁１２に対向するとともに前記第１壁１１に直交して配置される第３壁１３と、これら第２壁１２および第３壁１３に直交するとともに前記第１壁１１に対向して配置される第４壁１４とを備えているので、宅配ボックス１０を前記玄関出入口２ａの近傍に確実に配置することができる。また、前記第１壁１１には入庫口１１ａが形成され、前記第２壁１２には出庫口１２ａが形成されているので、前記第１〜第４壁１１，１２，１３，１４によって囲まれた内部空間を物品の受け渡しスペースとして利用することができる。
さらに、前記第１壁１１には前記入庫口１１ａを開閉する屋外扉１１ｂが設けられているので、この屋外扉１１ｂによって前記内部空間と屋外とを隔絶することができる。また、前記第２壁１２には前記出庫口１２ａを開閉する屋内扉１２ｂが設けられているので、この屋内扉１２ｂによって前記内部空間と玄関１とを隔絶することができる。また、前記入庫口１１ａは、前記出庫口１２ａに直交して配置されることになるので、前記入庫口１１ａから入れられた物品を、この物品の入庫方向と直交する方向から受け取ることができる。しかも、前記出庫口１２ａは、前記入庫口１１ａから所定の間隔をあけて配置されるようにして前記第２壁１２に形成されているので、例えば前記入庫口１１ａおよび出庫口１２ａの双方が開放されていたとしても、前記入庫口１１ａ側から玄関１内を視認しにくくなる。また、前記入庫口１１ａから手や道具を入れたとしても、前記玄関出入口２ａまで届きにくく、防犯性が高い。
これによって、宅配業者等の訪問者と居住者とが直接対面することを確実に防ぎながら、物品等の受け渡しを確実に行うことができ、さらに防犯性にも優れる。
さらに、前記第１壁１１の前方に前記ベンチ１１ｃが設けられており、前記第２壁１２の前方に前記ベンチ１２ｃが設けられているので、これらベンチ１１ｃ，１２ｃを荷物等の物品の受け渡し時に一時置き場として利用したり、玄関１で靴を脱いだり履いたりする際に腰掛けることができ、利便性に優れる。
【００５１】
また、前記第１〜第４壁１１，１２，１３，１４によって囲まれる内部空間に、前記第１〜第４壁１１，１２，１３，１４のうちのいずれかに固定される固定式棚板１５が設けられているので、この固定式棚板１５上に比較的重い物品を載せることができる。
また、例えば、この固定式棚板１５の固定位置を、前記入庫口１１ａ付近の所定の高さとすることで、この固定式棚板１５によって前記内部空間を区切ることができるとともに、前記入庫口１１ａを上下に区切ることができる。
【００５２】
また、前記屋外扉１１ｂは、前記固定式棚板１５によって区切られた内部空間毎に、上下方向に複数に分割されており、これら複数に分割された屋外扉１１ｂ，１１ｂは独立して前記入庫口１１ａを開閉可能となっているので、前記入庫口１１ａから物品を入庫する際に、必要な方の屋外扉１１ｂを開放させるだけで済む。これによって、必要以上に前記入庫口１１ａを開放させる必要がなくなり、宅配業者等の訪問者から玄関１内を見られにくくなる。
【００５３】
また、前記第１〜第４壁１１，１２，１３，１４によって囲まれる内部空間に、前記第１壁１１と第４壁１４との並設方向に沿ってスライド自在に設定されたスライド式棚板１６，１７が設けられているので、このスライド式棚板１６，１７上に物品を載せてスライドさせることによって、物品を前記第１壁１１と第４壁１４との並設方向に沿って移動させることができる。これによって、物品の受け渡しがスムーズになる。
【００５４】
また、前記宅配ボックス１０を、前記玄関出入口２ａの近傍に配置するので、請求項１〜４と同様の効果を得ることができる。また、前記第３壁１３が前記第２床６の下方側の部屋９に面するようにして、前記第２床６の下方に配置されており、前記第１〜第４壁１１，１２，１３，１４によって、前記第２床６を支持しているので、前記第１〜第４壁１１，１２，１３，１４を構造体として機能させることができる。これによって、前記宅配ボックス１０全体を建物と一体的に設けることができるので、この宅配ボックス１０の設置状態を強固なものとすることができる。
【００５５】
また、前記第２床６の下方側の部屋９は、０．９ｍ〜１．４ｍの天井高に設定された低天井収納室であることから、建物内に収納スペースを確保することができる。
さらに、この低天井収納室９の天井高が０．９ｍ〜１．４ｍに設定されることによって、人が前記低天井収納室に入って、何とか作業ができる最低限の高さを確保することができ、かつ、このように天井高を必要最小限に抑えることで、建物の高さが高くなることによって隣接する建物に及ぼす日照減少等の影響を極力少なくすることができる。
【００５６】
さらに、前記第２床６の下方に、前記宅配ボックス１０に隣接するとともに玄関１に向かって開口する開口部２０ａを有する玄関収納部２０が設けられているので、前記宅配ボックス１０を前記玄関１に配置しながら、この玄関１内に収納スペースを確保することができる。
【００５７】
なお、本実施の形態の宅配ボックス１０は前記第２床６の下方に配置されており、この第２床６を前記第１〜第４壁１１，１２，１３，１４によって支持しているので、構造体として機能しているとしたが、これに限られるものではなく、家具として構成してもよいものとする。
すなわち、天板と底板と、前記第１〜第４壁１１，１２，１３，１４とを備えてボックス状に形成し、前記第１壁１１を屋外に面して設けるようにすればよい。
【符号の説明】
【００５８】
１  玄関
２  壁
２ａ  玄関出入口
１０  宅配ボックス
１１  第１壁
１１ａ  入庫口
１１ｂ  屋外扉
１１ｃ  ベンチ
１２  第２壁
１２ａ  出庫口
１２ｂ  屋内扉
１２ｃ  ベンチ
１２ｄ  壁部
【図１】
2010196295.tif 000003
【図２】
2010196295.tif 000004
【図３】
2010196295.tif 000005
【図４】
2010196295.tif 000006
【図５】
2010196295.tif 000007
【図６】
2010196295.tif 000008
【図７】
2010196295.tif 000009